(57)【要約】  本開示は、チェストピースを有する聴診器のためのダイヤフラムセットを提供する。ダイヤフラムセットは、底部構造と底部構造の縁部に接続された側部構造とを含むダイヤフラムを含む。ダイヤフラムの底部構造および側部構造は、聴診器のチェストピースを受容するためのダイヤフラムキャビティを形成する。
2021502221.tif 000002
【特許請求の範囲】
【請求項１】
底部構造と、
前記底部構造の縁部に接続された側部構造と、
を含むダイヤフラムであって、
前記ダイヤフラムの前記底部構造と前記側部構造とが、聴診器のチェストピースを受容するためのダイヤフラムキャビティを形成する、
前記ダイヤフラムを含む、
前記チェストピースを含む前記聴診器のためのダイヤフラムセット。
【請求項２】
前記側部構造は、前記ダイヤフラムの中心線に対して内側に湾曲している、請求項１に記載のダイヤフラムセット。
【請求項３】
前記側部構造が、
前記底部構造に接続された接続部と、
前記接続部に接続された中間部と、
前記中間部に接続された上部と、
を含み、
前記中間部の曲率半径は、前記接続部及び前記上部の曲率半径よりも小さい、
請求項２に記載のダイヤフラムセット。
【請求項４】
前記ダイヤフラムの前記側部構造の外面の周りに配置されたOリングをさらに含む、請求項２に記載のダイヤフラムセット。
【請求項５】
前記側部構造は、前記ダイヤフラムの中心線に対して外側に湾曲している、請求項１に記載のダイヤフラムセット。
【請求項６】
前記側部構造は、
前記底部構造に接続された接続部と、
前記接続部に接続された中間部と、
前記中間部に接続された上部と、
を含み、
前記中間部の曲率半径は、前記接続部及び前記上部の曲率半径よりも大きい、
請求項５に記載のダイヤフラムセット。
【請求項７】
前記側部構造および前記底部構造は、薄膜の単一片から作られ、
前記薄膜は、振動層と、前記振動層上にコーティングされたコーティング層とを含み、
前記ダイヤフラムセットが前記聴診器の前記チェストピースに組み込まれるとき、前記コーティング層は、前記聴診器の前記チェストピースと接触する、
請求項１に記載のダイヤフラムセット。
【請求項８】
カプセルキャビティを有するホルダと、
前記ホルダの前記カプセルキャビティを封止する封止フィルムと、
を含むケースと、
前記ケースの前記カプセルキャビティ内に配置されたチェストピースを有する聴診器のためのダイヤフラムセットと、
を含む、使い捨てカプセル。
【請求項９】
前記ダイヤフラムセットが、ダイヤフラムおよびリム要素を含み、
前記リム要素が、前記聴診器の前記チェストピースを受容するためのキャビティを形成するために、前記ダイヤフラムの縁部に結合している、
請求項８に記載の使い捨てカプセル。
【請求項１０】
前記封止フィルムが前記ホルダから剥がされるとき、前記ダイヤフラムセットは、前記ホルダの前記カプセルキャビティから取り外し可能である、請求項８に記載の使い捨てカプセル。
【請求項１１】
前記ホルダは、
底部と、
前記底部に接続される側部と、
前記側部の縁部に接続されるフランジ部と、
を含み、
前記ホルダは、薄膜の単一片から作られ、
前記フランジ部の長手方向は、前記底部の長手方向と平行であり、
前記底部および前記側部は、前記カプセルキャビティを形成し、
前記封止フィルムは、前記ホルダの前記フランジ部に取り付けられることによって、前記カプセルキャビティを封止する、
請求項８に記載の使い捨てカプセル。
【請求項１２】
前記封止フィルムは、ホットプレス接着または超音波溶接によって前記ホルダの前記フランジ部に取り付けられている、請求項１１に記載の使い捨てカプセル。
【請求項１３】
前記フランジ部は、
延設部および溝を有し、
前記延設部は、前記溝の長手方向に沿って折り曲げ可能である、
請求項１１に記載の使い捨てカプセル。
【請求項１４】
前記溝がダイパンチによりフランジ部に形成されている請求項１３に記載の使い捨てカプセル。
【請求項１５】
前記ホルダが、ポリスチレン、ポリエチレンテレフタレート、ポリカーボネート、金属、厚紙、またはこれらの組み合わせから作られている、請求項８に記載の使い捨てカプセル。
【請求項１６】
前記封止フィルムが、紙、ポリスチレン、ポリエチレンテレフタレート、ポリカーボネート、またはこれらの組み合わせから作られている、請求項８に記載の使い捨てカプセル。
【請求項１７】
前記ダイヤフラムセットが、
底部構造と、前記底部構造の縁部に接続された側部構造とを含むダイヤフラム、
を含み、
前記底部構造および側部構造は、前記聴診器の前記チェストピースを受容するためのダイヤフラムキャビティを形成する、
請求項８に記載の使い捨てカプセル。
【請求項１８】
前記ダイヤフラムの前記側部構造が、前記ダイヤフラムの中心線に対して内側に湾曲している、請求項１７に記載の使い捨てカプセル。
【請求項１９】
前記ダイヤフラムの前記側部構造が、
前記底部構造に接続された接続部と、
前記接続部に接続された中間部と、
前記中間部に接続された上部と、
を含み、
前記中間部の曲率半径は、前記接続部及び前記上部の曲率半径よりも小さい、
請求項１８に記載の使い捨てカプセル。
【請求項２０】
前記ダイヤフラムセットは、前記ダイヤフラムの湾曲した前記側部構造の外面の周りに配置されたOリングをさらに備える、請求項１８に記載の使い捨てカプセル。
【請求項２１】
前記ダイヤフラムの前記側部構造は、前記ダイヤフラムの中心線に対して外側に湾曲している、請求項１７に記載の使い捨てカプセル。
【請求項２２】
前記ダイヤフラムの前記側部構造が、
前記底部構造に接続された接続部と、
前記接続部に接続された中間部と、
前記中間部に接続された上部と、
を含み、
前記中間部の曲率半径は、前記接続部及び前記上部の曲率半径よりも大きい、
請求項２１に記載の使い捨てカプセル。
【請求項２３】
前記ダイヤフラムは、30mm〜50mmの範囲の直径および1mm〜3mmの範囲の高さを有する、請求項１７に記載の使い捨てカプセル。
【請求項２４】
前記カプセルキャビティは、50mm〜55mmの範囲の直径を有し、
前記ホルダは、65mm〜80mmの範囲の直径および10mm〜15mmの高さを有する、
請求項１７に記載の使い捨てカプセル。
【請求項２５】
剥離可能部を有するディスペンサハウジングと、
前記ディスペンサハウジング内に配置された少なくとも1つの使い捨てカプセルと、
を含み、
前記使い捨てカプセルは、
チェストピースを有する聴診器のためのダイヤフラムセットであって、
底部構造と、
前記底部構造の縁部に接続された側部構造と、
を含む、ダイヤフラムであって、
前記ダイヤフラムの底部構造と側部構造とが、前記聴診器の前記チェストピースを受容するためのダイヤフラムキャビティを形成する、
ダイヤフラムを含む、
ダイヤフラムセットと、
前記ダイヤフラムセットを受容するためのケースであって、
前記ダイヤフラムセットを受容するためのカプセルキャビティを有するホルダと、
前記ホルダの前記カプセルキャビティを封止する封止フィルムと、
を含む、ケースと、
を含み、
前記剥離可能部は、前記ディスペンサハウジングから剥がされて、前記ディスペンサハウジング上にディスペンス孔を形成し、前記ディスペンサハウジングから前記使い捨てカプセルを取り出すことができるように構成されている、
カプセルディスペンサ。
【発明の詳細な説明】
【技術分野】
【０００１】
本開示は、一般に、聴診器のための使い捨てダイヤフラムに関する。より詳細には、本開示は、聴診器のためのダイヤフラムセット、およびダイヤフラムセットを含む使い捨てカプセルに関する。
【背景技術】
【０００２】
聴診器は、聴診器のヘッドを患者の皮膚に当てることで、医師が心拍などの患者の体内音を聞くことができる医療機器である。図1Aに示すように、聴診器10は、聴診器ヘッド100と、聴診器ヘッド100に接続された聴診器チューブ200と、2つのイヤピース210とを含む。聴診器チューブ200は、1つの近位端および2つの遠位端を有する。図1B〜1Dに示すように、聴診器ヘッドは、通常、チェストピース110、ダイヤフラム120、およびOリング130を含む。聴診器チューブ200の近位端は、チェストピース110に接続される。聴診器チューブ200の2つの遠位端は、2つのイヤピース210にそれぞれ接続される。ダイヤフラム120は、チェストピース110の開口部を覆っている。ダイヤフラム120は、Oリング130によってチェストピース110に結合され、チェストピース110と気密封止を形成する。患者の体内音によって生成された振動は、ダイヤフラム120を介してチェストピースに伝達され、次いで聴診器チューブ200に伝達され、その結果、医師は、聴診器チューブ200の2つの遠位端に接続されたイヤピース210を介して体内音を聞くことができる。
【発明の概要】
【発明が解決しようとする課題】
【０００３】
患者間の感染伝播を防止するために、使用後はダイヤフラム120を交換しなければならない。しかしながら、交換プロセス中のダイヤフラム120とチェストピース110との不整合は、不十分な封止のために、不良な聴診体験を引き起こし得る。さらに、取り外しまたは取り付けるには、Oリング130が小さすぎるか、または、可撓性を有していない場合、ダイヤフラム120は、折れ曲がるか、または、破損する可能性がある。感染症の伝播を防ぐ別の方法は、使用したダイヤフラムをアルコールで消毒することである。しかしながら、アルコールは、ダイヤフラムの感度に影響を及ぼす可能性があり、したがって、ダイヤフラムの構造の脆弱性のために、ダイヤフラムの頻繁な交換が依然として必要とされる。
【０００４】
したがって、聴診器のダイヤフラムを置き換えるためのより効率的な方法を提供する必要がある。
【０００５】
上記に鑑みて、本開示の目的は、使い捨てダイヤフラムセット、およびダイヤフラムセットを有する使い捨てカプセルを提供することである。
【課題を解決するための手段】
【０００６】
上記の目的を達成するために、本開示の実施形態は、チェストピースを有する聴診器のためのダイヤフラムセットを提供する。ダイヤフラムセットは、底部構造と底部構造の縁部に接続された側部構造を含むダイヤフラムを含む。ダイヤフラムの底部構造および側部構造は、聴診器のチェストピースを受容するためのダイヤフラムキャビティを形成する。
【０００７】
上記の目的を達成するために、本開示の別の実施形態は、使い捨てカプセルを提供する。使い捨てカプセルは、ケースと、チェストピースを有する聴診器のためのダイヤフラムセットとを含む。ケースは、カプセルキャビティと、ホルダのカプセルキャビティを封止する封止フィルムとを有するホルダを含む。ダイヤフラムセットは、ケースのカプセルキャビティ内に配置される。
【０００８】
上記の目的を達成するために、本開示のさらに別の実施形態は、カプセルディスペンサを提供する。カプセルディスペンサは、ディスペンサハウジングと、ディスペンサハウジング内に配置された少なくとも1つの使い捨てカプセルとを含む。使い捨てカプセルは、ダイヤフラムセットと、ダイヤフラムセットを受容するためのケースとを含む。ダイヤフラムセットは、底部構造と、底部構造の縁部に接続された側部構造とを含むダイヤフラムを含む。ダイヤフラムの底部構造および側部構造は、聴診器のチェストピースを受容するためのダイヤフラムキャビティを形成する。ケースは、ホルダと封止フィルムとを含む。ホルダは、ダイヤフラムセットを受容するためのカプセルキャビティを有する。封止フィルムは、ホルダのカプセルキャビティを封止する。ディスペンサハウジングは、剥離可能部を有する。剥離可能部は、ディスペンサハウジングから剥がされて、ディスペンサハウジング上にディスペンス孔を形成し、ディスペンサハウジングから使い捨てカプセルを取り出すことができるように構成される。
【０００９】
好ましい実施形態において、ダイヤフラムの側部構造は、ダイヤフラムの中心線に対して内側に湾曲する。側部構造は、ダイヤフラムの底部構造に接続される接続部と、接続部に接続される中間部と、中間部に接続される上部とを備える。中間部の曲率半径は、接続部及び上部の曲率半径よりも小さい。ダイヤフラムセットは、ダイヤフラムの側部構造の外面の周囲に配置されたOリングをさらに含む。
【００１０】
別の好ましい実施形態では、ダイヤフラムの側部構造は、ダイヤフラムの中心線に対して外側に湾曲している。側部構造は、ダイヤフラムの底部構造に接続される接続部と、接続部に接続される中間部と、中間部に接続される上部とを含む。中間部の曲率半径は、接続部及び上部の曲率半径よりも大きい。
【００１１】
別の好ましい実施形態では、ダイヤフラムセットは、ダイヤフラムおよびリム要素を含む。リム要素は、聴診器のチェストピースを受容するためのキャビティを形成するために、ダイヤフラムの縁部に結合する。
【発明の効果】
【００１２】
上述のように、本開示の実施形態のダイヤフラムセットは、使用者がダイヤフラムを損傷することなく、聴診器のチェストピースにダイヤフラムセットを組み込むことを可能にする。さらに、本開示の実施形態のダイヤフラムセットを含む使い捨てカプセルは、使用者が、ダイヤフラムセットに触れることなく、聴診器のダイヤフラムセットを容易に交換することを可能にし、したがって、ダイヤフラムの汚染および損傷を防止する。さらに、カプセルディスペンサは、使い捨てカプセルがきちんと保管され、容易に回収されることを可能にする。
【図面の簡単な説明】
【００１３】
【図１Ａ】従来技術による聴診器の斜視図である。
【図１Ｂ】図1Aの聴診器ヘッドの断面図である。
【図１Ｃ】図1Aの聴診器ヘッドの上面図および底面図である。
【図１Ｄ】図1Aの聴診器ヘッドの上面図および底面図である。
【図２Ａ】本開示の実施形態によるダイヤフラムセットのための使い捨てカプセルの斜視図である。
【図２Ｂ】使い捨てカプセルのホルダから剥がされている図2Aの使い捨てカプセルの封止フィルムを示す概略図である。
【図２Ｃ】聴診器のチェストピースに組み込まれている図2Aの使い捨てカプセルのダイヤフラムセットを示す概略図である。
【図３Ａ】図2Aの使い捨てカプセルのケースの斜視図である。
【図３Ｂ】図3Aのケースの分解図である。
【図４Ａ】図3Aにおけるケースのホルダの平面図および側面図である。
【図４Ｂ】図3Aにおけるケースのホルダの平面図および側面図である。
【図５Ａ】図2Aの使い捨てカプセルのダイヤフラムセットの斜視図である。
【図５Ｂ】図5Aのダイヤフラムセットの別の視角からの斜視図である。
【図５Ｃ】図5Aのダイヤフラムセットの上面図および底面図である。
【図５Ｄ】図5Aのダイヤフラムセットの上面図および底面図である。
【図５Ｅ】図5Aのダイヤフラムセットの側面図である。
【図５Ｆ】平面A−A'に沿った図5Cのダイヤフラムセットの断面図である。
【図５Ｇ】図5Fの部分拡大図である。
【図５Ｈ】図5Fの部分拡大図である。
【図６Ａ】本開示の別の実施形態によるダイヤフラムセットの斜視図である。
【図６Ｂ】平面B−B'に沿った図6Aのダイヤフラムセットの断面図である。
【図６Ｃ】図6Bの部分拡大図である。
【図７Ａ】本開示の別の実施形態によるダイヤフラムセットの斜視図である。
【図７Ｂ】平面C−C'に沿った図7Aのダイヤフラムセットの断面図である。
【図７Ｃ】図7Bの部分拡大図である。
【図８Ａ】本開示の別の実施形態によるダイヤフラムセットの斜視図である。
【図８Ｂ】平面D−D'に沿った図8Aのダイヤフラムセットの断面図である。
【図８Ｃ】図8Bの部分拡大図である。
【図９Ａ】本開示の別の実施形態によるダイヤフラムセットの斜視図である。
【図９Ｂ】図9Aのダイヤフラムセットの平面E−E'に沿った断面図であり、ダイヤフラムセットがチェストピースに組み込まれる方法を示す。
【図９Ｃ】図9Bの部分拡大図である。
【図１０Ａ】本開示の別の実施形態によるカプセルディスペンサの斜視図である。
【図１０Ｂ】カプセルディスペンサの剥離可能部が除去されたときの図10Aのカプセルディスペンサの斜視図である。
【図１１】本開示の別の実施形態による、聴診器のダイヤフラムセットを交換するための方法のフローチャートである。
【図１２Ａ】図11の方法のステップを示す概略図である。
【図１２Ｂ】図11の方法のステップを示す概略図である。
【図１２Ｃ】図11の方法のステップを示す概略図である。
【図１２Ｄ】図11の方法のステップを示す概略図である。
【発明を実施するための形態】
【００１４】
本技術の実施は、添付の発明を参照して、単なる例として、ここで説明される。
【００１５】
以下、本開示の実施形態を示す添付図面を参照して、本開示をより完全に説明する。しかしながら、本開示は、多くの異なる形態で具現化されてもよく、本明細書に記載された実施形態に限定されるものとして解釈されるべきではない。むしろ、これらの実施形態は、本開示が十全であり、本開示の範囲を当業者に十分に伝えるように提供される。全体を通して、同様の参照符号は同様の要素を指す。
【００１６】
本明細書で使用される用語は、特定の実施形態を説明するためだけのものであり、本開示を限定することを意図するものではない。本明細書で使用されるように、単数を表す「１つの」など、は、他の文脈が明確に示されない限り、複数も含むように意図される。用語「含む」などは、本明細書で使用される場合、特徴、領域、整数、ステップ、操作、要素、および／または構成要素の存在を特定するが、1つ以上の他の特徴、領域、整数、ステップ、操作、要素、および／またはそれらのグループの存在または追加を妨げるものではない。
【００１７】
用語「および／または」は、関連する列挙された項目のうちの1つまたは複数の任意の組合せおよびすべての組合せを含むことが理解されるであろう。第1、第2、第3などの用語は、様々な要素、構成要素、領域、部分および／またはセクションを説明するために本明細書で使用され得るが、これらの要素、構成要素、領域、部分および／またはセクションは、これらの用語によって限定されるべきではないことも理解されるであろう。これらの用語は、1つの要素、構成要素、領域、部分またはセクションを別の要素、構成要素、領域、層またはセクションから区別するためにのみ使用される。したがって、以下で説明する第1の要素、構成要素、領域、部分、またはセクションは、本開示の教示から逸脱することなく、第2の要素、構成要素、領域、層、またはセクションと呼ぶことができる。
【００１８】
別段の定義がない限り、本明細書で使用されるすべての用語（技術用語および科学用語を含む）は、本開示が属する技術分野の当業者によって一般に理解されるものと同じ意味を有する。さらに、一般的に使用される辞書で定義されるような用語は、関連技術および本開示の文脈におけるそれらの意味と一致する意味を有するものとして解釈されるべきであり、本明細書で明示的にそのように定義されない限り、理想化されたまたは過度に形式的な意味で解釈されないことが理解されるであろう。
【００１９】
以下、本発明の実施の形態について、図2A〜12Dを参照しながら説明する。図面を参照して、本開示を詳細に説明するが、図示された要素は、必ずしも一定の縮尺で示されておらず、同様または類似の要素は、いくつかの図を通して、同じまたは類似の参照符号および同じまたは類似の用語によって示される。
【００２０】
以下、本開示を図面と組み合わせてさらに説明する。
【００２１】
図2A〜2Cは、本開示の実施形態による聴診器のためのダイヤフラムセットを含む使い捨てカプセルの斜視図である。図2A〜2Cに示すように、使い捨てカプセル300は、聴診器20のためのダイヤフラムセット310と、ダイヤフラムセット310を受容するためのケース320とを含む。聴診器20は、通常、チェストピース210と、聴診器チューブ220とを含む。聴診器20のチェストピース210および聴診器チューブ220は、本明細書ではさらに説明しない図1Aおよび1Bに示すチェストピース110および聴診器チューブ200を参照することができる。図2Cにおいて、聴診器チューブ220は、簡潔にするために部分的に示されている。図2Aに示すように、ケース320は、ホルダ322と封止フィルム321とを有している。ホルダ322は、ダイヤフラムセット310を受容するためのカプセルキャビティ322cを有する。封止フィルム321は、ホルダ322のカプセルキャビティ322cを取り外し可能に封止する。図2Bに示すように、封止フィルム321がホルダ322から剥がされるか又は取り外されると、ダイヤフラムセット310は露出され、ホルダ322のカプセルキャビティ322cから取り外すことができる。ダイヤフラムセット310は、図2Cに示すように、カプセルキャビティ322cの中または外で聴診器20のチェストピース210に組み込むことができる。一実施形態では、1つのケース320は、1つのダイヤフラムセット310を含む。一実施形態では、使い捨てカプセル300は、ホイル、プラスチック、紙、ラミネートなどの様々な適切な材料で作ることができる。使い捨てカプセル300は、円形の形状を有することができ、ダイヤフラムセット310の直径よりもわずかに大きい直径を有するサイズにすることができる。カプセルキャビティ322cは、ダイヤフラムセット310を受容するための適切な空間を有し得る。
【００２２】
図3Aおよび図3Bを参照すると、図2Aのケース320の斜視図および分解図が示されている。図4Aおよび4Bを参照すると、図3Aのケース320の上面図およびホルダ322の側面図が図示されている。ホルダ322は、底部322bと、底部322bに接続された側部322fと、側部322fの縁部に接続されたフランジ部322aとを有している。ホルダ322は、薄膜の単一片から作ることができる。フランジ部322aの長手方向は、底部322bの長手方向と平行である。底部322bおよび側部322fは、カプセルキャビティ322cを形成する。ダイヤフラムセット310は、ホルダ322のカプセルキャビティ322c内に配置される。封止フィルム321は、ホルダ322のフランジ部322aに取り付けることによってカプセルキャビティ322cを封止する。封止フィルム321は、ホットプレス接着または超音波溶接によってホルダ322のフランジ部322aに取り付けられる。フランジ部322aは、延設部322dと溝322eとを有している。この溝322eは、フランジ部322aにダイパンチにより形成されている。延設部322dは、溝322eの長手方向に沿って折り曲げ可能である。フランジ部322aからの封止フィルム321の取り外しは、溝322eの長手方向に沿って延設部322dを折り曲げ破壊することにより容易となる。ホルダ322は、ポリスチレン（PS）、ポリエチレンテレフタレート（PET）、ポリカーボネート（PC）、金属、厚紙、またはこれらの組み合わせから形成され得るが、本実施形態は、これらに限定されない。封止フィルム321は、紙、ポリスチレン（PS）、ポリエチレンテレフタレート（PET）、ポリカーボネート（PC）、又は「易剥離フィルム」若しくは「Tavikペーパー」のようなこれらの組合せから作ることができるが、実施形態はこれに限定されない。カプセルキャビティ322cは、50mm〜55mmの範囲の直径D3を有する。ホルダは、65mm〜80mmの範囲の直径D2と、10mm〜15mmの高さH2とを有する。
【００２３】
図5A〜5Eを参照すると、図2Aのダイヤフラムセット310の斜視図、上面図、底面図、および側面図が示されている。図5Fを参照すると、平面A−A'に沿った図5Cのダイヤフラムセットの断面図が示されている。図5Gおよび図5Hを参照すると、図5Fの部分拡大図が示されている。ダイヤフラムセット310は、聴診器20に組み込まれるように構成される。図5A〜5Gに示すように、ダイヤフラムセット310は、ダイヤフラム311と、Oリング312とを備える。ダイヤフラム311は、底部構造311bと、底部構造311bの縁部に接続された側部構造311cとを含む。側部構造311cおよび底部構造311bは、薄膜の単一片から作られている。側部構造311cは湾曲している。本実施の形態では、側部構造311cは、ダイヤフラム311の中心線L1に対して内側に湾曲している。底部構造311bおよび側部構造311cは、聴診器20のチェストピース210を受容するためのダイヤフラムキャビティ311aを形成する。Oリング312は、ダイヤフラム311の側部構造311cの外面311dの周囲に配置されている。側部構造311cの外面311dは、図5Gに示すように、湾曲しており、Oリング312の表面312aと適合する。側部構造311cは、Oリング312の表面312aに沿って延在し、Oリング312の表面312aを部分的に覆ってもよい。ダイヤフラム311は、直径D1が30mm〜50mmの範囲であり、高さH1が1mm〜3mmの範囲である。ダイヤフラムセット310が聴診器20のチェストピース210に組み込まれるとき、湾曲した側部構造311cは、ダイヤフラム311がチェストピース210の縁部に容易に嵌合することを可能にし、組み立てプロセス中にダイヤフラム311を損傷する可能性を低減する。Oリング312は、シリコン又は他の可撓性材料で作ることができる。チェストピース210は、チェストピース210の縁部の周りに溝（図示せず）を含むことができる。ダイヤフラムセット300が聴診器20に組み込まれると、ダイヤフラム311が聴診器20のチェストピース210の縁部に固定されることを可能にするように、Oリング312は、チェストピース210の溝の形状に適合する。
【００２４】
ダイヤフラム311は、薄膜の単一片のスタンピングによって形成される。図5Hに示されるように、ダイヤフラム311の薄膜は、振動層332と、振動層上に被覆された被覆層331とを含む。振動層332は、ダイヤフラム311の底部構造311bの底面に配置される。被覆層331は、ダイヤフラム311の底部構造311bの上面に配置される。コーティング層331は、シリコン、ソフトタッチペイント、熱可塑性ポリウレタン（TPU）、熱可塑性ゴム（TPR）、またはこれらの組み合わせから作製される。ダイヤフラムセット310が聴診器20のチェストピース210に組み込まれると、コーティング層331は聴診器20のチェストピース210と接触する。一実施形態によると、被覆層331は、0．04mmから0．1mmの範囲の厚さを有する。好ましい実施形態では、コーティング層331の厚さは、0．04mm〜0．08mmの範囲である。振動層332は、ポリカーボネート、ポリエチレンテレフタレート、ガラス繊維強化エポキシ樹脂、または金属から作られているが、これらに限定されない。振動層332は、患者の体内の音（心拍など）によって発生した振動を聴診器20のチェストピース210に伝達する。一実施形態によると、振動層332は、0．15mmから0．35mmの範囲の厚さを有する。好ましい実施形態では、振動層332の厚さは、0．15mm〜0．22mmの範囲である。好ましい実施形態では、コーティング層331は、スプレーコーティングおよび硬化によって振動層331上に形成される。硬化プロセスは、45℃〜50℃の温度で行われる。コーティング層331は、振動層332よりも高い弾性を有する。コーティング層331は、チェストピース310とダイヤフラムセット310のダイヤフラム311との間に良好な気密封止を提供し、したがって、聴診器20の感度を高める。
【００２５】
図6Aを参照すると、本開示の別の実施形態によるダイヤフラムセットの斜視図が示されている。図6Bおよび図6Cを参照すると、図6Aのダイヤフラムセットの断面図および部分拡大図が図示されている。この実施形態では、チェストピースを有する聴診器のためのダイヤフラムセット340は、ダイヤフラム341を含む。ダイヤフラム341は、底部構造341bと、底部構造341bの縁部に接続された側部構造341cとを含む。側部構造341cおよび底部構造341bは、薄膜の単一片から作られている。側部構造341cは湾曲している。底部構造341bおよび側部構造341cは、聴診器のチェストピースを受容するためのダイヤフラムキャビティ341aを形成する。図6Bに示すように、側部構造341cは、ダイヤフラム341の中心線L4に対して内側に湾曲している。図6Cに示すように、側部構造341cは、底部構造341bに接続される接続部3413cと、接続部3413cに接続される中間部3412cと、中間部3412cに接続される上部3411cとを備えている。中間部3412cの曲率半径は、接続部3413cと上部3411cの曲率半径よりも小さい。ダイヤフラムセット340は、ダイヤフラム341の側部構造341cの外面の周囲に配置されたOリングをさらに含んでもよい。Oリングは、さらに説明することなく、図5A〜5Fに示すOリング312を参照することができる。ダイヤフラム341の他の特徴（材料またはサイズなど）は、上記実施形態で説明したダイヤフラム311を参照することができる。
【００２６】
図7Aを参照すると、本開示の別の実施形態によるダイヤフラムセットの斜視図が示されている。図7Bおよび図7Cを参照すると、図7Aのダイヤフラムセットの断面図および部分拡大図が図示されている。この実施形態では、チェストピースを有する聴診器のためのダイヤフラムセット350は、ダイヤフラム351を含む。ダイヤフラム351は、底部構造351bと、底部構造351bの縁部に接続された側部構造351cとを含む。側部構造351cおよび底部構造351bは、薄膜の単一片から作られている。側部構造351cは湾曲している。底部構造351bおよび側部構造351cは、聴診器のチェストピースを受容するためのダイヤフラムキャビティ351aを形成する。図7Bに示すように、側部構造351cは、ダイヤフラム351の中心線L5に対して外側に湾曲している。図7Cに示すように、側部構造351cは、底部構造351bに接続される接続部3513cと、接続部3513cに接続される中間部3512cと、中間部3512cに接続される上部3511cとを備えている。中間部3512cの曲率半径は、接続部3513cおよび上部3511cの曲率半径よりも大きい。ダイヤフラム351の他の特徴（材料またはサイズなど）は、上記実施形態で説明したダイヤフラム311を参照することができる。
【００２７】
図8Aを参照すると、本開示の別の実施形態によるダイヤフラムセットの斜視図が示されている。図8Bおよび図8Cを参照すると、図8Bおよび図8Cには、図8Aのダイヤフラムセットの断面図および部分拡大図が図示されている。この実施形態では、チェストピースを有する聴診器のためのダイヤフラムセット360は、ダイヤフラム361およびリム要素362を含む。この実施形態では、ダイヤフラム361は、平坦な円形膜である。リム要素362は、ダイヤフラム361の縁部に結合して、聴診器のチェストピースを受容するためのキャビティ363を形成する。リム要素362は、アルミニウム合金で作ることができる。リム要素362がアルミニウム合金によって作製される場合、図8Cに示すように、リム要素362は、リム要素362の内面の周囲に形成された少なくとも1つのねじ山362aを有することができる。ダイヤフラムセット360が聴診器のチェストピースに組み込まれるときに、ダイヤフラムセット360は、チェストピースの縁部の外面に形成された対応する溝によってチェストピースにねじ留めすることができる。代替的に、リム要素362は、チェストピースの縁部の外面に形成されたねじ山を整合させるために、リム要素362の内面の周囲に形成された少なくとも1つの溝を有していてもよい。この実施形態では、リム要素362は、L字形の断面を有する。
【００２８】
図9Aを参照すると、本開示の別の実施形態によるダイヤフラムセットの斜視図が示されている。図9Bおよび9Cを参照すると、図9Aのダイヤフラムセットがチェストピース210に組み込まれた様子を示す断面図および部分拡大図が示されている。この実施形態では、チェストピース210を有する聴診器のためのダイヤフラムセット370は、ダイヤフラム371およびリム要素372を含む。この実施形態では、ダイヤフラム371は、平坦な円形膜である。リム要素372は、ダイヤフラム371の縁部に結合して、聴診器のチェストピースを受容するためのキャビティ373を形成する。リム要素372は、シリコン又はゴムで作ることができる。図9Cに示されるように、リム要素372は、C字型の断面を有する。
【００２９】
図10Aおよび10Bを参照すると、本開示の別の実施形態による使い捨てカプセル300のためのカプセルディスペンサを示す。カプセルディスペンサ400は、ディスペンサハウジング410と、ディスペンサハウジング410内に配置された少なくとも1つの使い捨てカプセル300とを含む。使い捨てカプセル300は、前述の実施形態に記載されており、本明細書ではこれ以上の説明は繰り返さない。好ましくは、1つのカプセルディスペンサ400は、10〜20個の使い捨てカプセル300を受容することができる。使い捨てカプセル300は、ディスペンサハウジング410の内部空間に積み重ねられる。ディスペンサハウジング410は、剥離可能部411を有する。剥離可能部411は、ディスペンサハウジング410から剥がされて、ディスペンサハウジング410の一端にディスペンス孔413を形成し、ディスペンサハウジング410から使い捨てカプセル300を取り出すことができるように構成される。ディスペンサハウジング410は、ディスペンサハウジング410が壁又はテーブルのような所望の場所に固定されることを可能にするための固定部材412を更に含むことができる。固定部材412は、引っ掛け又は貼り付けの方法で設計することができる。カプセルディスペンサ400は、使い捨てカプセル300がきちんと保管され、容易に回収されることを可能にする。
【００３０】
図11を参照すると、本開示の別の実施形態による、聴診器のためのダイヤフラムセットを交換するための方法のフローチャートが示されている。聴診器およびダイヤフラムセットは、前述の実施形態の聴診器およびダイヤフラムセットを参照することができる。図12A〜12Dを参照すると、図11の方法のステップを示す概略図が示されている。この実施形態では、聴診器は、チェストピースと、チェストピースに接続された聴診器チューブとを含む。一実施形態によれば、聴診器のためのダイヤフラムセットを交換するための方法S900は、ステップS901〜S905を含む。
【００３１】
ステップS901：図12Aに示すように、使用済みダイヤフラムセットを聴診器のチェストピースから取り外す。
【００３２】
ステップS902：未使用のダイヤフラムセット310と、未使用のダイヤフラムセットを受容するためのケース320とを有する使い捨てカプセル300を提供する。ダイヤフラムセット310のダイヤフラムは、底部構造と、底部構造の縁部に接続された側部構造とを含む。底部構造および側部構造は、聴診器のチェストピースを受容するためのダイヤフラムキャビティを形成する。Oリングは、ダイヤフラムの側部構造の外面の周囲に配置される。側部構造の外面は湾曲しており、Oリングの表面と適合している。ケース320は、未使用のダイヤフラムセットを受容するためのカプセルキャビティと、ホルダのキャビティを取り外し可能に封止する封止フィルムとを有するホルダを含む。使い捨てカプセルは、前述の実施形態の使い捨てカプセル300を参照することができ、本明細書ではこれ以上の説明は繰り返さない。使い捨てカプセルは、図10Aおよび10Bに示すようにカプセルディスペンサ400から取得することができる。
【００３３】
ステップS903：図12Bに示すように、封止フィルムをホルダから剥がし、カプセルキャビティ内に配置された未使用のダイヤフラムセットを露出させる。
【００３４】
ステップS904：図12Cに示すように、聴診器のチェストピースをダイヤフラムのダイヤフラムキャビティに押し付けて、未使用のダイヤフラムセットを聴診器のチェストピースに組み込む。
【００３５】
ステップS905：図12Dに示すように、未使用のダイヤフラムセットに組み込まれたチェストピースをカプセルキャビティから取り外す。
【００３６】
本開示の実施形態の方法S900は、ユーザが、未使用のダイヤフラムセットに触れることなく、使用済みのダイヤフラムセットを使い捨てカプセルの未使用のダイヤフラムセットと交換することを可能にする。したがって、方法S900は、未使用のダイヤフラムセットの汚染および損傷を防止することができる。
【００３７】
上述のように、本開示の実施形態のダイヤフラムセットは、使用者がダイヤフラムを損傷することなく、ダイヤフラムセットを聴診器のチェストピースに組み込むことを可能にする。さらに、本開示の実施形態のダイヤフラムセットを含む使い捨てカプセルは、使用者が、ダイヤフラムセットに触れることなく、聴診器のダイヤフラムセットを容易に交換することを可能にし、したがって、ダイヤフラムの汚染および損傷を防止する。さらに、カプセルディスペンサは、使い捨てカプセルがきちんと保管され、容易に回収されることを可能にする。
【００３８】
上記に示され、説明された実施形態は、単なる例である。ダイヤフラムセットおよびその使い捨てカプセルの他の特徴など、多くの詳細が当技術分野でしばしば見られる。したがって、多くのそのような詳細は示されておらず、説明されてもいない。本技術の多数の特徴および利点が、本開示の構造および機能の詳細とともに、前述の説明に記載されているが、本開示は、例示的なものにすぎず、特許請求の範囲で使用される用語の広い一般的な意味によって確立される十全な範囲まで、およびそれを含めて、詳細に、特に、本開示の原理内の部品の形状、サイズ、および配置に関して、変更を行うことができる。したがって、上述の実施形態は、特許請求の範囲内で修正され得ることが理解されるであろう。
【００３９】
〔関連出願の相互参照〕
【００４０】
本出願は、2017年11月10日に出願された米国仮特許出願第62／584215号の優先権を主張し、その全体が参照により本明細書に組み込まれる。
【図１Ａ】
2021502221.tif 000003
【図１Ｂ】
2021502221.tif 000004
【図１Ｃ】
2021502221.tif 000005
【図１Ｄ】
2021502221.tif 000006
【図２Ａ】
2021502221.tif 000007
【図２Ｂ】
2021502221.tif 000008
【図２Ｃ】
2021502221.tif 000009
【図３Ａ】
2021502221.tif 000010
【図３Ｂ】
2021502221.tif 000011
【図４Ａ】
2021502221.tif 000012
【図４Ｂ】
2021502221.tif 000013
【図５Ａ】
2021502221.tif 000014
【図５Ｂ】
2021502221.tif 000015
【図５Ｃ】
2021502221.tif 000016
【図５Ｄ】
2021502221.tif 000017
【図５Ｅ】
2021502221.tif 000018
【図５Ｆ】
2021502221.tif 000019
【図５Ｇ】
2021502221.tif 000020
【図５Ｈ】
2021502221.tif 000021
【図６Ａ】
2021502221.tif 000022
【図６Ｂ】
2021502221.tif 000023
【図６Ｃ】
2021502221.tif 000024
【図７Ａ】
2021502221.tif 000025
【図７Ｂ】
2021502221.tif 000026
【図７Ｃ】
2021502221.tif 000027
【図８Ａ】
2021502221.tif 000028
【図８Ｂ】
2021502221.tif 000029
【図８Ｃ】
2021502221.tif 000030
【図９Ａ】
2021502221.tif 000031
【図９Ｂ】
2021502221.tif 000032
【図９Ｃ】
2021502221.tif 000033
【図１０Ａ】
2021502221.tif 000034
【図１０Ｂ】
2021502221.tif 000035
【図１１】
2021502221.tif 000036
【図１２Ａ】
2021502221.tif 000037
【図１２Ｂ】
2021502221.tif 000038
【図１２Ｃ】
2021502221.tif 000039
【図１２Ｄ】
2021502221.tif 000040
【国際調査報告】
2021502221.tif 000041